(57)【要約】      （修正有）【課題】化粧や洗顔に使用されるブラシ部の形状は従来円形状、たわし状、筆状のため、顔の広範囲面部分と鼻周の細部に使用するブラシが複数本必要であった。これを１本で行うことができるブラシを提供する。【解決手段】口金部とブラシ部との接合開口部５を軸心線と垂直に交わる平面に投影した多角形状又は凹凸部を有する曲線形状又は曲線や直線を組み合わせた形状と、ブラシ部１の毛先面を軸心線１５と垂直に交わる平面に投影した形状が、同一又は相似の形状を持つ化粧及び洗顔用ブラシとすることにより、いままで複数本必要だった化粧及び洗顔用ブラシが、１本で頬や額の様な広範囲部分から鼻周りの細部までの顔のすべての部分を網羅することができるようになる。【選択図】図１
2014113484.tif 000002
【特許請求の範囲】
【請求項１】
少なくともブラシ部と前記ブラシ部を支持する口金部とからなる化粧及び洗顔用ブラシにおいて、前記ブラシ部と前記口金部との接合開口部の多角形状又は凹凸部を有する曲線形状又は曲線や直線を組み合わせた形状を軸心線と垂直に交わる平面に投影した形状と、軸心線と垂直に交わる平面に前記ブラシ部の毛先面を投影した形状が、同一又は相似の形状を持つことを特徴とする化粧及び洗顔用ブラシ。
【請求項２】
前記口金部の内部に、テーパーを有することを特徴とする請求項１記載の化粧及び洗顔用ブラシ。
【請求項３】
前記ブラシ部の毛先面が、傾斜を有することを特徴とする請求項１記載又は請求項２記載の化粧及び洗顔用ブラシ。
【請求項４】
前記ブラシ部の毛先面が形成する面が１あるいは複数の面を持つことを特徴とする請求項１から３のいずれか１つに記載の化粧及び洗顔用ブラシ。
【請求項５】
前記口金部がプラスチック素材でできていることを特徴とする請求項１から４のいずれか１つに記載の化粧及び洗顔用ブラシ。
【請求項６】
前記ブラシ部と前記口金部との接合開口部が、傾斜を有することを特徴とする請求項１から５いずれか１つに記載の化粧及び洗顔用ブラシ。
【請求項７】
少なくともブラシ部と前記ブラシ部を支持する口金部とからなる化粧及び洗顔用ブラシにおいて、前記口金部をプラスチック素材で、前記ブラシ部と前記口金部との接合開口部の形状が多角形又は凹凸部を有する曲線形状又は曲線や直線を組み合わせた形状となるように成形し、前記接合開口部の多角形又は凹凸部を有する曲線形状又は曲線や直線を組み合わせた形状を軸心線と垂直に交わる平面に投影した形状と、軸心線と垂直に交わる平面に前記ブラシ部を投影した形状が、同一又は相似の形状を持つようにブラシ部を植毛することを特徴とする化粧及び洗顔用ブラシの製造方法。
【発明の詳細な説明】
【技術分野】
【０００１】本発明は、ブラシ部の形状の特徴を生かし、顔の広い部分や鼻周りの細部の化粧及び洗顔を可能とする化粧用ブラシである。
【背景技術】
【０００２】例えば特許文献１の図１、図４が示す様に、洗顔ブラシとして広範囲面部に使用するブラシと、小鼻洗顔ブラシの様に細部に使用するブラシが２種類存在している。
使用者は複数のブラシを使い分けることが必要であった。【０００３】例えば特許文献２の図５が示す様に、ブラシ部が傾斜面を持つ化粧用ブラシはすでに存在し、その形状は円筒形である。このように、いままでのブラシの形状は、従来から製造されている形で使用しているのであり、使用目的のためにブラシ部の形状を大きく変化させ、使いやすさや持ちやすさ等を追及したりしたものではなかった。
【先行技術文献】
【特許文献】
【０００４】
【特許文献１】特開２０１１−１１００６９号公報
【特許文献２】特開２００７−２３６７１５号公報
【発明の概要】
【発明が解決しようとする課題】
【０００５】化粧用ブラシの成り立ちは画筆、書筆に由来し、ブラシ部の根本にある口金部はアルミ金属で製造されている。画筆、書筆は平面に書くことを想定している。一方、人の顔は細部の凹凸と広範囲に広がるゆるやかなカーブにより構成されている。化粧及び洗顔するために、顔の広範囲面部分に使用するブラシと鼻周りの細部に使用するブラシが複数本必要である。本発明は、一本のブラシで顔の広範囲面部分から鼻周りの細部までを化粧及び洗顔に使用出来るブラシを提供することを課題とする。
【課題を解決するための手段】
【０００６】第１の課題解決手段は、少なくともブラシ部と前記ブラシ部を支持する口金部とからなる化粧及び洗顔用ブラシにおいて、前記ブラシ部と前記口金部との接合開口部の多角形状又は凹凸部を有する曲線形状又は曲線や直線を組み合わせた形状を軸心線と垂直に交わる平面に投影した形状と、軸心線と垂直に交わる平面に前記ブラシ部の毛先面を投影した形状が、同一又は相似の形状を持つことを特徴とする化粧及び洗顔用ブラシである。【０００７】第２の課題解決手段は、前記ブラシ部を支持する前記口金部の内部にテーパーを有することを特徴とする請求項１記載の化粧及び洗顔用ブラシである。【０００８】第３の課題解決手段は、前記ブラシ部の毛先面が、傾斜を有することを特徴とする請求項１記載又は請求項２記載の化粧及び洗顔用ブラシである。【０００９】第４の課題解決手段は、前記ブラシ部の毛先面が形成する面が１あるいは複数の面を持つことを特徴とする請求項１から３いずれか１つに記載の化粧及び洗顔用ブラシである。【００１０】第５の課題解決手段は、前記口金部がプラスチック素材でできていることを特徴とする請求項１から４いずずれか１つに記載の化粧及び洗顔用ブラシである。【００１１】第６の課題解決手段は、前記ブラシ部と前記口金部との接合開口部が、傾斜を有することを特徴とする請求項１から５いずれか１つに記載の化粧及び洗顔用ブラシである。【００１２】  第７の課題解決手段は、少なくとも前記ブラシと前記ブラシ部を支持する口金部とからなる化粧及び洗顔用ブラシにおいて、前記口金部をプラスチック素材で、前記ブラシ部と前記口金部との接合開口部の形状が多角形又は凹凸部を有する曲線形状又は曲線や直線を組み合わせた形状となるように成形し、前記接合開口部の多角形又は凹凸部を有する曲線形状又は曲線や直線を組み合わせた形状を軸心線と垂直に交わる平面に投影した形状と、軸心線と垂直に交わる平面に前記ブラシ部を投影した形状が、同一又は相似の形状を持つようにブラシ部を植毛することを特徴とする化粧及び洗顔用ブラシの製造方法である。【００１３】課題解決手段１の作用は次の通りである。ブラシ部と口金部との接合開口部の多角形状又は凹凸部を有する曲線形状又は曲線や直線を組み合わせた形状を、軸心線に垂直に交わる平面に投影した形状と、ブラシ部の毛先面を軸心線に垂直に交わる平面に投影した形状が、同一又は相似の形状を持つことで、ブラシ部の毛先面に辺や角、あるいは曲率の小さな曲線部が存在することになる。この毛先面の辺や角、あるいは曲率の小さな曲線部を利用し、鼻周りの様な細部まで毛先が行き届くようになる。また、今までのブラシは、柄の部分が円筒状の物が多く、ブラシを置くと転がりやすい。口金部の接続開口部が多角形状又は凹凸部を有する曲線形状又は曲線や直線を組み合わせた形状をしていることにより、ブラシを机の上等に置いても転がりにくくなる。【００１４】課題解決手段２の作用は次の通りである。ブラシ部を支持する口金部の内部にテーパーを有することにより、口金部により支持されているブラシ部の植毛された毛と口金部との隙間が少なくなり、植毛された毛がより口金部に保持されることでブラシ部の形状をより安定的に保つことができるように���る。【００１５】課題解決手段３の作用は次の通りである。ブラシ部に傾斜をつけることにより、実際のブラシ部の太さよりも肌に接するブラシ部の毛先面が広くなる。これにより、ブラシ部の毛先面が広く使え、化粧をする際はブラシ部の実際の大きさよりも肌に接する毛先面がさらに広くなり、ファンデーションやチークを頬や額の様な顔の広範囲部に塗る時に、きめ細かくかつ簡単に塗れるようになる。洗顔に使用する際は、ブラシ部に傾斜をつけることにより、実際のブラシ部の太さよりも肌に接するブラシ部の毛先面が広くなり、より効率よく頬や額の様な顔の広範囲部の洗顔ができるようになる。【００１６】課題解決手段４の作用は次の通りである。ブラシ部の毛先面が、１あるいは複数の面を持つことにより、１本のブラシで顔の広範囲部分や鼻周りの他に整眉も行えるようになる。【００１７】課題解決手段５の作用は次の通りである。口金部をプラスチックで製造する場合は、柄部と口金部との第２の接合開口部と、口金部とブラシ部との接合開口部の形状が全く異なる場合でも製造可能となる。これにより、持ちやすさを考えた柄部と使いやすさを考えたブラシ部の形状が全く異なる場合も、化粧及び洗顔用ブラシを製造することができるようになる。【００１８】課題解決手段６の作用は次のとおりである。口金部が傾斜を有することで、１本のブラシ内で毛先の感触が異なるブラシが製造できることになる。【００１９】課題解決手段７の作用は次のとおりである。プラスチック素材で製造し、これに植毛することによって毛先面の形状がよりシャープに形成されることにより、ブラシ部の毛先面に辺や角、あるいは曲率の小さな曲線部もよりシャープな形状を保つことができるようになる。シャープな辺や角、あるいは曲率の小さな曲線部を持つ毛先面を保てることにより、シャープに形成された毛先面の辺や角、あるいは曲率の小さな曲線部を利用して、顔の細部である鼻周りや眉の整備に使用できるようになる。さらに、毛先面全体を利用して頬や額のような顔の広範囲部分にも利用できるようになる。
【発明の効果】
【００２０】上述したように本発明の化粧用及び洗顔ブラシは、口金部とブラシ部の接合開口部の多角形状又は凹凸部を有する曲線形状又は曲線や直線を組み合わせた形状を軸心線に垂直に交わる平面に投影した形状と、ブラシ部の毛先面を軸心線に垂直に交わる平面に投影した形状を同一又は相似にすることにより、頬や額の様な顔の広範囲部分から鼻周りの細部までをブラシ１本で網羅することができるようになる。
【図面の簡単な説明】
【００２１】
【図１】本発明のブラシ斜視図
【図２】同ブラシ右面図
【図３】同ブラシ左面図
【図４】同ブラシ上面図
【図５】同ブラシ下面図
【図６】同ブラシ正面図
【図７】同ブラシ後面図
【図８】同ブラシ部口金部詳細図
【図９】同ブラシ口金部に傾斜を有する場合の図
【図１０】同ブラシを使用して顔の広範囲面部を洗浄する図
【図１１】同ブラシを使用して顔の鼻周りの細部を洗浄する図
【図１２】同ブラシ部が多角形状を有する場合の実施形態の例を示す図
【図１３】同ブラシ部が凹凸部を有する曲線形状の実施形態の例を示す図
【図１４】同ブラシ部が曲線や直線を組み合わせた形状の実施形態の例を示す図
【図１５】同ブラシを支持する口金部のブラシ部との接合開口部と柄部を支持する同口金開口部の形状が異なる実施形態の例を示す図
【図１６】同ブラシを支持する口金部の断面図
【発明を実施するための形態】
【００２２】以下本発明の実施の形態を、図をもって説明する。
【００２３】図１に示すように、この発明はブラシ部１、ブラシ部１を支える口金部２、その口金部２を支持する柄部３で構成されている。ブラシ部１の毛質は、人口毛、天然毛、あるいは人口毛と天然毛の混毛のいずれかでもかまわない。使用目的や耐久性などを考慮して、毛質を選ぶ必要がある。接合開口部５は、ブラシ部１の毛を保持する口金部２のブラシ部１側の端部にある開口部をいい、植毛後、この開口部は植毛された毛により充填される。軸心線１５は、口金部２の柄部３との第２の接合開口部４を平面とする平面の中心点（図示せず）と、口金部２のブラシ部１との接合開口部５を平面とする平面の中心点（図示せず）とを直線で結び、ブラシ部１及び柄部３に向かって延長した直線をいう。
【００２４】図１に示すように、本発明においては、口金部２の接合開口部５の多角形状又は凹凸部を有する曲線形状又は曲線や直線を組み合わせた形状を軸心線に垂直な平面に投影した形状と、ブラシ部１の毛先面１２を軸心線１５に垂直な平面に投影した形状は同一又は相似の形状になる。図１は、多角形状が四角形の場合である。図１の場合、口金部２の接合開口部５が形成する平面の面積Ｓ１の四角形５１（図示せず）は、軸心線１５と垂直に交わっており、この四角形５１を軸心線１５に交わる垂直な平面に投影した投影図（図示しない面積Ｓ２の多角形）は、面積が同一（Ｓ１＝Ｓ２）で、同一形状の四角形５２である。また、ブラシ部１の毛先が形成する毛先面１２の四角形５３の平面の面積をＳ３とすると、この毛先面１２を軸心線１５に交わる垂直な平面に投影した投影図１３（面積Ｓ４の多角形）は、口金部２の接合開口部５が形成する四角形の平面５１の軸心線１５と垂直に交わる平面に投影した投影図と相似比が１対１、すなわち同一面積（Ｓ１＝Ｓ２＝Ｓ４）、同一形状を持つ四角形となる。使用目的によって口金部２の接続開口部５の多角形の形状や、ブラシ部１の毛先面１２を軸心線に垂直に交わる平面に投影した投影図１３の面積を変更できる。すなわち、例えば、ブラシ部１の毛先面１２を軸心線に交わる垂直な平面に投影した投影図１３が、軸心線に垂直に交わる平面に投影された接続開口部５の多角形状と同一又は相似形を保っていれば、相似比を変えて毛先面の面積を大きくすることも小さくすることも可能である。なお、同一又は相似の意味であるが数学的に厳密な意味ではなく、略同一又は略相似という意味も含むものである。
【００２５】図２に示すように、ブラシ部１はブラシ部１を側面から見て傾斜１４を有する。使用目的に応じて、傾斜がなくても良い。すなわち傾斜１４は軸心線１５に垂直でも良い。ブラシ部１の軸心線１５方向の１つの辺７が対向するブラシ部１の軸心線１５方向の１つの辺６よりも長い場合、図３の示すようにブラシ部１の辺９が対向する辺８よりも長くなる。目的に応じてブラシ部を形成するので、図２が示すブラシ部１の辺７と図３が示すブラシ部１の辺９は同じ長さでなくても良い。また、図２が示すブラシ部１の辺６と図３が示すブラシ部１の辺８も同じ長さでなくても良い。
【００２６】図６に示す様に、ブラシ部１の大きさは、縦ｈ５ｍｍ以上６０ｍｍ以下、横ｗ５ｍｍ以上６０ｍｍ以下が望ましい。ブラシ部１の大きさがあまり小さすぎると頬や額の様な顔の広範囲部に使用する際に不便になる可能性がある。ブラシ部１の大きさがあまり大きすぎても顔の鼻周りの様な細部に使用する際に不便になる可能性がある。
【００２７】図２に示す様に、ブラシ部１の辺６より対向するブラシ部１の辺７が長い場合、ブラシ部１の辺６の毛の長さａ１は２ｍｍ以上６０ｍｍ以下が望ましい。図３に示す様に、ブラシ部１の辺８より対向するブラシ部１の辺９が長い場合、ブラシ部１の辺８の毛の長さｂ１は２ｍｍ以上６０ｍｍ以下が望ましい。
【００２８】図２に示す様に、ブラシ部１の辺７よりブラシ部の対向するブラシ部１の辺６が短い場合、ブラシ部１の辺７の毛の長さａ３は２ｍｍ以上６０ｍｍ以下が望ましい。図３に示す様に、ブラシ部１の辺９より対向するブラシ部１の辺８が短い場合、ブラシ部１の辺９の毛の長さｂ３は２ｍｍ以上６０ｍｍ以下が望ましい。
【００２９】洗顔に使用する場合、泡立ちを重視したい場合は、図２が示すブラシ部１の辺６と対向するブラシ部１の辺７の毛の長さａ１とａ３と、図３が示すブラシ部１の辺８と辺９の毛の長さｂ１とｂ３を１５ｍｍ程度から３５ｍｍ程度の長めにするのが望ましい。泡立ちよりもしっかりした洗い心地を重視したい場合は、図２が示すブラシ部１の辺６と対向するブラシ部１の辺７の毛の長さａ１とａ３と、図３が示すブラシ部１の辺８と対向するブラシ部１の辺９の毛の長さｂ１とｂ３を５ｍｍ程度から１５ｍｍ程度の長さにするのが望ましい。但し、使用目的に応じて毛先部の長さは変更可能である。
【００３０】ブラシ部１が傾斜を有する場合は、図２に示す様に、ブラシ部１の辺６の毛の長さａ１と対向するブラシ部１の辺７の毛の長さａ３の差ａ２が、２ｍｍ以上２０ｍｍ以下が望ましい。同様に、ブラシ部１が傾斜を有する場合は、図３に示す様に、ブラシ部１の辺８の長さｂ１と対向するブラシ部１の辺９の毛の長さｂ３の差ｂ２が、２ｍｍ以上２０ｍｍ以下が望ましい。ブラシ部１が傾斜を持たないブラシ部１の毛先面１２の面積と口金部２の接続開口部５の相似比が１対１の場合、口金部２の接合開口部５を軸心線に垂直に交わる平面に投影した面積と同じ広さになる。使用目的によって口金部２の接続開口部５の多角形状又は凹凸部を有する曲線形状又は曲線や直線を組み合わせた形状や、ブラシ部１の毛先面１２を軸心線に垂直に交わる平面に投影した投影図１３の面積を変更できる。すなわち、例えばブラシ部１の毛先面１２を軸心線に交わる垂直な平面に投影した投影図１３が、軸心線に垂直に交わる平面に投影された接続開口部５の多角形状又は凹凸部を有する曲線形状又は曲線や直線を組み合わせた形状と相似形を保っていれば、相似比を変えて毛先面の面積を大きくすることも小さくすることも可能である。
【００３１】図１６（Ｉ）と（ＩＩ）は口金部２の内部の断面図である。図１６（Ｉ）が示すように、口金部２は接続開口部４と接続開口部５を持ち、口金部２内部に接続開口部４から接続開口部５に向かって口金部２の開口部内部が小さくなるようテーパーをつけて口金部２を製造する。このことにより、口金部２に毛を充填し接着部１６で接着剤等により結合しブラシ部１を形成した際、口金部２の接続開口部５とブラシ部１との隙間が少なくなり、ブラシ部１に植毛された毛がより口金部２に保持されることでブラシ部１の形状をより安定的に保つことができるようになる。
図１６（ＩＩ）が示すように、口金部２内部のテーパーは、口金部２の接続開口部５から距離ｅの位置までテーパーをつけても良い。その場合、口金部２の接続開口部５からの距離ｅは、２ｍｍ以上５０ｍｍ以下が望ましい。
【００３２】口金部２は接続開口部５が多角形状を持つプラスチック素材や金属で出来ている。このプラスチック素材として使用するプラスチックは、熱可塑性樹脂の場合はＡＢＳ樹脂やＡＳ樹脂等がもちいられ、熱硬化性樹脂の場合はポリウレタン樹脂等が用いられる。このようなプラスチック素材は射出成形機や切削機等を用いて口金部２に成形される。口金部をプラスチック素材で製造することにより、ブラシ部の多角形状又は凹凸部を有する曲線形状又は曲線や直線を組み合わせた形状がよりシャープに形成される。次いで、口金部２内に毛が植毛され、周知の手段により口金部２の接続開口部５に近いブラシ部１の根元部の接着位置１６付近においてブラシ部１を構成する毛と口金部２とは椄着剤等により結合される。
【００３３】図８が示す様に、ブラシ部１に傾斜がついていることで、顔に接するブラシ部１の毛先面１２の面積が口金部２の接続開口部５のブラシ部１の図６に示す縦ｈ、横ｗより面積が広くなることにより、今までの化粧及び洗顔ブラシのように毛先が筆の様な場合よりも、ブラシ部１の毛先が肌に密着することになる。これにより、化粧の場合は頬や額の様な顔の広範囲部分をきめ細かくかつ簡単に塗れるようになる。洗顔に使用する場合は、頬や額の様な顔の広範囲部分を洗う時に、軽い力でも効果的な洗浄が得られる。
【００３４】図８が示す様に、ブラシ部１の毛先の辺１１を使用することにより、顔の鼻周りの細部を化粧又は洗顔しやすくなる。ブラシ部１の毛先先端の辺１１が、長期間の使用でへたってきた場合、ブラシ部１の多角形状の毛先先端の辺１１以外の辺を使用すれば、ブラシの寿命は延長される。
【００３５】図８に示す様に、ブラシ部１の辺７の距離ａ１とブラシ部１の辺６の距離ａ３の違いにより、一本のブラシでありながら使用する際の使い心地の加減ができる。辺７の長さａ１を辺６の長さａ３よりも長くした場合は、長い距離ａ１をもつ辺７の毛の自由度の方が多いために、毛先辺１１に柔らかさが増す。辺６の長さａ３が、辺７の長さａ１よりも短いときは、辺６の毛の自由度が辺７の自由度よりも少ないために、毛先辺１０の柔らかさが毛先辺１１の柔らかさよりも少ない。このように一本のブラシでありながら使い心地を変えることができる。
【００３６】図９が示す様にブラシ部１を側面から見た時に口金部２の接続開口部５が傾斜を持つことにより、ブラシ部１の辺７の長さｃとブラシ部１の辺６の長さｄが異なる。そのため、辺７の長さｃが短いので、辺７の毛の自由度が減るために、毛先辺１１の柔らかさ減る。辺６の長さｄが辺７の長さｃよりも長いので、辺６の毛の自由度が増すために、毛先辺１０の柔らかさが増す。このように平らなブラシ面１２を持ちながら、ブラシ部１の毛先辺１１と毛先辺１０の位置によって使い心地の違うブラシになる。図９の場合、口金部２の接合開口部５が形成する面積Ｓ１１の平面の多角形５５（図示せず）は、軸心線に対して傾斜しており、この多角形５５を軸心線に垂直に交わる平面に投影した投影図（図示しない面積Ｓ１２の多角形）は、面積が異なる（Ｓ１１＞Ｓ１２）相似形でない多角形５６である。また、ブラシ部１の毛先が形成する毛先面１２の平面の多角形５７の面積をＳ１３とすると、この毛先面１２を軸心線に垂直に交わる平面に投影した投影図（図示しない面積Ｓ１４の多角形）は、同一面積（Ｓ１３＝Ｓ１４）、同一形状を持つ多角形５８である。この場合も、ブラシ部１の毛先が形成する毛先面１２の軸心線に垂直に交わる平面に投影した投影図の図示しない面積Ｓ１２の多角形５６と相似比が１対１の関係にあり、すなわち、同一面積（Ｓ１２＝Ｓ１４）、同一形状を持つ多角形である。
【００３７】図１が示すようなブラシ部１、口金部２、柄部３の形状は使用目的によって変更可能である。図１が示す形態と異なるブラシ部１と口金部２の実施形態は、図１２、図１３、図１４に代表例を示す。
【００３８】図１２の（Ｉ）が示す様に、ブラシ部１の毛先面１２と口金部２の接合開口部５を多角形状の１つ、三角形とした場合、面の広さ、毛先の直線の辺を得られるばかりでなく、三角形の頂点２０の毛先を点用のブラシとして使用可能となる。図１２の（ＩＩ）が示す様に、ブラシ部１の毛先面１２と口金部２の接続開口部５を多角形状の１つ、五角形とした場合、面の広さがより得られ、ブラシ部１の毛先面の五角形に傾斜をつけると、五角形状のブラシ部１の１つの頂点２１が、点用のブラシとしてより効果的に使用可能となる。
【００３９】図１２の（ＩＩＩ）が示す様に、ブラシ部１を軸心線に垂直に交わる平面に投影したブラシ部１の形状が、口金部２とブラシ部１との接合開口部５の形状と相似の形状であり、その面が、２つの面３０と面３１を持つことで、整眉に面３０を使用し、他の顔の部分は面３１を使用できるようになる。図１２の（ＩＶ）は、口金部２の接続開口部５とブラシ部１の毛先面１２を六角形にした場合の図である。図１２の（Ｖ）は、ブラシ部１の口金部２の接続開口部５とブラシ部１の毛先面１２を多角形で構成された星形にした場合の図である。ブラシ部１の口金部２の接続開口部５とブラシ部１の毛先面１２の多角形は八角形でもよい。
【００４０】図１３に凹凸部を有する曲線形状を有する場合の実施形態のいくつかの例を示す。凹部を設けることにより凸部となる曲線部の曲率半径の小さい部分ができることで、頬や額のような顔の広範囲部分から鼻周りの細部までをブラシ一本で網羅することができる。図１３（Ｉ）及び（ＩＩ）は、凹部が１つの投影形状がハート形の例である。凹部が１か所でも図に示すように凸部となる曲率部の曲率を変えることにより、鼻周りの細部にまで毛先が行き届くブラシを製造することができる。
図１３（ＩＩＩ）が示す様に、口金部２の接続開口部５とブラシ部１の毛先面１２が凹凸部を有する曲線を組み合わせた形状で構成されている花形のブラシである。ブラシ部１の毛先面１２に曲率の小さな曲線部があることで、鼻周りの様な細部まで毛先が行き届く。
図１３（ＩＶ）が示すように、口金部２の接続開口部５とブラシ部１の毛先面１２が凹凸部を有する曲線を組み合わせた形状で構成されているクローバー形のブラシである。
【００４１】図１４（Ｉ）が示す様に、口金部２の接続開口部５とブラシ部１の毛先面１２が曲線と直線を組み合わせた形状で構成されているハート形のブラシである。この１本で曲線部が作る滑らかなカーブと、直線部の交点が作る鋭角な角部等を利用することにより、顔のさまざまな部分の化粧及び洗顔に対応できる。図１４（ＩＩ）は口金部２の接続開口部５とブラシ部１の毛先面１２が曲線と直線を組み合わせた形状で構成されている星形のブラシである。図１４（ＩＩＩ）は口金部２の接続開口部５とブラシ部１の毛先面１２が曲線と直線を組み合わせた形状で構成されている猫の顔形のブラシである。
【００４２】図１５（１）及び（２）が示す様に、プラスチック素材で作られた口金部２は、図１の柄部３との第２の接合開口部４の平面形状と、ブラシ部１との接合開口部５の平面形状が異なる場合でも製造が可能なので、柄部３との第２の接合開口部４を円形として持ちやすさを重視しつつ、ブラシ部１と口金部２との接合開口部５とブラシ部１の毛先面１２の形状を多角形状又は凹凸部を有する曲線形状又は曲線や直線を組み合わせた形状にすることが可能となる。なお、このブラシは化粧及び洗顔用ブラシとあるが、化粧用にのみ、あるいは洗顔用にのみ使用しても問題がないことはもちろんである。
【符号の説明】
【００４３】１    …ブラシ部
２    …口金部
３    …柄部
５    …口金部とブラシ部の接合開口部
１２  …ブラシ部毛先面
１３  …軸心線に垂直に交わる平面に投影された毛先面の投影図
１５  …軸心線
１００…化粧及び洗顔用ブラシ全体図
【図１】
2014113484.tif 000003
【図２】
2014113484.tif 000004
【図３】
2014113484.tif 000005
【図４】
2014113484.tif 000006
【図５】
2014113484.tif 000007
【図６】
2014113484.tif 000008
【図７】
2014113484.tif 000009
【図８】
2014113484.tif 000010
【図９】
2014113484.tif 000011
【図１０】
2014113484.tif 000012
【図１１】
2014113484.tif 000013
【図１２】
2014113484.tif 000014
【図１３】
2014113484.tif 000015
【図１４】
2014113484.tif 000016
【図１５】
2014113484.tif 000017
【図１６】
2014113484.tif 000018